(57)【特許請求の範囲】
【請求項１】
互いに対向する版胴と圧胴、または版胴とブランケット胴と圧胴とを、版胴から圧胴へ動力が伝達されるようにして設けた２胴式または３胴式の印刷ユニットを輪転紙の走行方向に複数配置し、
各印刷ユニットの圧胴の入力部に、版胴からあるいはブランケット胴からの動力の伝達を切離して圧胴をフリー回転するようにしたクラッチを設け、
圧胴に対向する版胴またはブランケット胴を圧胴に対して接離可能に支持し、
各印刷ユニットの版胴に回転速度を制御可能にしたセクショナルモータを連結して、各印刷ユニットの圧胴を連結状態にしたクラッチを介して上記各セクショナルモータにて駆動するようにした
ことを特徴とする輪転印刷機。
【請求項２】
２胴式または３胴式の印刷胴部を、印刷ユニットに対して交換可能にしたことを特徴とする請求項１記載の輪転印刷機。
【発明の詳細な説明】
【０００１】
【発明の属する技術分野】
本発明は、印刷中に印刷機を停止させることなく刷版を取り替えることができるようにした輪転印刷機に関するものである。
【０００２】
【従来の技術】
この種の輪転印刷機に関しては、実公平３−４７８８６号公報及び特許第２５８９８６３号公報に示されたものが公知である。そしてこの公知の輪転印刷機では、いずれも、輪転紙が巻き付けられる圧胴の回りに２個の版胴を、圧胴に対してあるいは圧胴に接触しているブランケット胴に対して接離可能に配置し、一方の版胴を圧胴に、あるいはブランケット胴に接触してこの版胴による印刷中に、他方の版胴を圧胴から、あるいはブランケット胴から離間すると共に、これの輪転印刷機の動力系から切断し、この版胴の刷版を取り替えるようになっている。
そしてこの刷版を取り替えた版胴は、これの周速を印刷速度と同期させて、他の版胴が離間した圧胴に、あるいはブランケット胴に接触させるようになっている。
【０００３】
【発明が解決しようとする課題】
これらの従来の技術の輪転印刷機では、圧胴回転速度を基準にし、この圧胴の回転速度に対して版胴やブランケット胴の回転を制御したり、版胴の駆動を切り離したり接触するようになっていることにより、この版胴の駆動を切離するためのクラッチや、変速・同期駆動のための装置に複雑な機構を必要としていた。
【０００４】
また、特に、特許第２５８９８６３号公報のものでは、１つの圧胴（あるいはブランケット胴）の周囲に複数の版胴をサテライト状に配置し、複数の印刷を同時に行い、１ユニットで店名差し替えなどの処理を行わせようとしているため、版胴、ブランケット胴のサイズ替えが構造的に難しい。
【０００５】
また、圧胴が共通の原動軸にて同期駆動されている構造の交換胴式の輪転印刷機では、圧胴と、版胴、ブランケット胴とを別駆動することになり、構成が複雑となる。
【０００６】
本発明は上記のことにかんがみなされたもので、極めて簡単な構成でノンストップでの刷版の取り替えを可能にした輪転印刷機を提供することを目的とするものである。
【０００７】
【課題を解決するための手段】
上記目的を達成するために、本発明に係る輪転印刷機は、互いに対向する版胴と圧胴、または版胴とブランケット胴と圧胴とを、版胴から圧胴へ動力が伝達されるようにして設けた２胴式または３胴式の印刷ユニットを輪転紙の走行方向に複数配置し、各印刷ユニットの圧胴の入力部に、版胴からあるいはブランケット胴からの動力の伝達を切離して圧胴をフリー回転するようにしたクラッチを設け、圧胴に対向する版胴またはブランケット胴を圧胴に対して接離可能に支持し、各印刷ユニットの版胴に回転速度を制御可能にしたセクショナルモータを連結して、各印刷ユニットの圧胴を連結状態にしたクラッチを介して上記各セクショナルモータにて駆動するようにした構成になっている。
【０００８】
そして上記輪転印刷機において、２胴式または３胴式の印刷胴部を、印刷ユニットに対して交換可能にした。
【０００９】
【作  用】
各印刷ユニットはセクショナルモータにて個々に駆動される。印刷ユニットにて印刷している間に、刷版を交換しようとする印刷ユニットの圧胴のクラッチをオフにすると共に、圧胴から版胴あるいはブランケット胴を離隔し、さらに、この印刷ユニットのセクショナルモータを停止する。そしてこの状態で版胴の刷版を交換する。刷版の交換後は、上記作用を逆に行い、セクショナルモータにて駆動される版胴あるいはブランケット胴を圧胴に接触させる。版交換時の圧胴は輪転紙の走行に従ってフリー回転される。
【００１０】
【発明の実施の形態】
本発明の実施の形態を図１、図２に基づいて説明する。図１において、１ａ，１ｂ，１ｃ，１ｄはそれぞれ同一構成で、かつ輪転紙２の走行方向に直列状に配置した印刷ユニットである。この各印刷ユニット１ａ〜１ｄはオフセット印刷機で、かつ３胴式の交換胴タイプとなっていて、これの交換胴フレーム３に、版胴４、ブランケット胴５、圧胴６が支持されている。そして版胴４が各印刷ユニット１ａ〜１ｄのフレーム８側に個々に設けたセクショナルモータ７ａ，７ｂ，７ｃ，７ｄの駆動部に連結されるようになっている。
【００１１】
上記各胴４，５，６の駆動部は図２に示すようになっていて、版胴４の軸４ａは軸受９ａにて交換胴フレーム３に同心状に支持されている。また、ブランケット胴５と圧胴６の各軸５ａ，６ａを支承する軸受９ａ，９ｃのそれぞれは、交換胴フレーム３に偏心回転可能に支持された偏心回動部材１０ａ，１０ｂに支持されている。各胴４〜６の交換胴フレーム３に対する軸受による支持構造は軸方向両側で同一である。
【００１２】
そして版胴４とブランケット胴５の各軸４ａ，５ａに互いに噛み合う歯車１１，１２が固着されており、また圧胴６の軸６ａにはブランケット胴５側の歯車１２に噛み合う歯車１３が回転自在に支持されている。この歯車１３は電磁クラッチ１４を介して圧胴６の軸６ａに係脱可能に結合されるようになっている。上記版胴４の歯車１１はセクショナルモータ７ａ〜７ｄの駆動歯車１５に噛み合うようになっている。上記各歯車１１〜１３のピッチ円は各胴の径と同一になっている。
【００１３】
なお、版胴４の歯車１１とセクショナルモータ７ａ〜７ｄの駆動歯車１５との噛み合いは、交換胴フレーム３の交換に従って係脱できるようになっている。
【００１４】
また、上記各偏心回動部材１０ａ，１０ｂは図示しないシリンダー装置等の駆動手段にて回動駆動することによりブランケット胴５と圧胴６の軸心位置が調整されるようになっている。そして圧胴６側の偏心回動部材１０ｂを回動することにより、ブランケット胴５と圧胴６間を通る輪転紙２に対する印圧の調整がなされ、また、ブランケット胴５側の偏心回動部材１０ａを大きく回動することにより、版胴４及び圧胴６からブランケット胴５が離間する位置まで移動するようになっている。このとき、各胴４，５，６は互いに離間するが、各胴４，５，６の歯車１１，１２，１３相互の噛み合いははずれることなく、セクショナルモータ７ａ〜７ｄにて駆動可能になっている。
【００１５】
各印刷ユニット１ａ〜１ｄに設けられるセクショナルモータ７ａ〜７ｄは、この各モータを所定の基準回転数で回転制御する主制御器１６と、この主制御器１６による制御に対してモータを停止するクラッチ制御部１７ａとモータが回転速度を微細に調整する差動制御部１７ｂと、停止後のモータを再び上記制御器１６による基準回転数まで加速する加速制御部１７ｃとを有する副制御器１７にて制御されるようになっている。そしてこの副制御器１７の各部は手動操作部１８にて操作できるようになっている。
【００１６】
上記構成において、図１は４台ある印刷ユニット１ａ〜１ｄのうち、第２と第４の印刷ユニット１ｂ，１ｄでノンストップで版替えしている状態を示す。すなわち、第１・第３の印刷ユニット１ａ，１ｃにて印刷している間に、第２、第４の印刷ユニット１ｂ，１ｄの電磁クラッチ１４をオフにしてそれぞれの圧胴６をフリー状態にし、これと同時にブランケット胴５側の偏心回動部材１０ａを回動してブランケット胴５を版胴４と圧胴６から離間する。この状態で圧胴６は空転し、輪転紙２はこの圧胴６に案内されてテンションが変化することなく走行される。
【００１７】
ついでこの第２・第４の印刷ユニット１ｂ，１ｄのセクショナルモータ７ｂ，７ｄを停止して各版胴４，４を手動で回転し、あるいはセクショナルモータ７ｂ，７ｄにてゆっくり回転させ、この間に版胴４，４の刷版を交換する。このとき、ブランケット胴５の移動によって版胴４とブランケット胴５は離間しているので刷版の交換が容易である。
【００１８】
印刷中の第１・第３の印刷ユニット１ａ，１ｃによる残り印刷枚数が所定の枚数になった時点で、第２・第４のセクショナルモータ７ｂ，７ｄを徐々に加速制御及び差動制御して版胴４とブランケット胴５の周速を輪転紙２の走行速度と同速にすると共に、位相合せを行い、その後電磁クラッチ１４をオンにして圧胴６の軸６ａと圧胴６の歯車１３とを連結しておく。
【００１９】
第１・第３の印刷ユニット１ａ，１ｃによる印刷枚数が設定枚数に達したときに、第２・第４の印刷ユニット１ｂ，１ｄのそれぞれのブランケット胴５側の偏心回動部材１０ｂを回動してそれぞれのブランケット胴５を移動して版胴４及び圧胴６に接触させる。これにより第２・第３の印刷ユニット１ｂ，１ｄの版胴４の刷版の絵柄が輪転紙２に印刷される。
【００２０】
一方これと同時に第１・第３の印刷ユニット１ａ，１ｃのブランケット胴５を偏心回動部材１０ｂの回動により移動して圧胴６との連結を離間すると共に圧胴６の電磁クラッチ１４をオフにし、さらに各印刷ユニット１ａ，１ｃのセクショナルモータ７ａ，７ｃを停止する。この状態で輪転紙２への印刷は第１・第３の印刷ユニット１ａ，１ｃから第２・第４の印刷ユニット１ｂ，１ｄへ移行し、第１・第３の印刷ユニット１ａ，１ｃは待機状態となり、この間に第１・第３の印刷ユニット１ａ，１ｃの版胴４の刷版を交換する。
【００２１】
上記した実施の形態では交換胴タイプの印刷ユニット１ａ〜１ｄを用いた例を示したが、これは非交換胴タイプのものでもよい。また、版胴とブランケット胴と圧胴の３胴を用いたオフセット印刷機以外に、版胴に直接圧胴を接触させて印刷する２胴式の印刷機を用いてもよい。この場合圧胴は版胴に対して接離可能にする。
【００２２】
【発明の効果】
本発明によれば、同一構成の印刷ユニットを複数用い、これの少なくとも１つの印刷ユニットの版胴あるいはブランケット胴を圧胴から切離すことにより、この少なくとも１つの印刷ユニットの版胴の刷版の交換を行うことができ、従来のサテライト構成の印刷ユニットの場合に比べてノンストップで刷版を交換するようにした輪転印刷機の構成を極めて簡単にすることができる。
【００２３】
各印刷ユニットは個々にセクショナルモータにて駆動されるので、共通の原動軸を用いて各印刷ユニットを駆動する従来の輪転印刷機に比べて複雑な速度位相追従機構が不要となって各印刷ユニットの構成を簡単にすることができる。
【図面の簡単な説明】
【図１】本発明の実施の形態を概略的に示す構成説明図である。
【図２】動力の伝達機構を示す一部破断説明図である。
【符号の説明】
１ａ，１ｂ，１ｃ，１ｄ…印刷ユニット、２…輪転紙、３…交換胴フレーム、４…版胴、５…ブランケット胴、６…圧胴、４ａ，５ａ，６ａ…軸、７ａ，７ｂ，７ｃ，７ｄ…セクショナルモータ、８…フレーム、９ａ，９ｂ，９ｃ…軸受、１０ａ，１０ｂ…偏心回動部材、１１，１２，１３…歯車、１４…電磁クラッチ、１５…駆動歯車、１６…主制御器、１７…副制御器、１７ａ…クラッチ制御部、１７ｂ…差動制御部、１７ｃ…加速制御部、１８…手動操作部。
【図１】
0004702916.tif 000002
【図２】
0004702916.tif 000003